(57)【要約】【課題】本発明は、空気中に存在する細菌や有機物を除去するために、光酸化触媒作用を用いた二酸化チタン触媒による反応装置に関するものである。【解決手段】本発明の二酸化チタン触媒による反応装置は、気体と二酸化チタン触媒とが接触する反応部が気体流通路内に設けられている。前記反応部内には、複数の反応管が気体流通路に沿って設けられている。また、前記反応管の内面および／または外面には、二酸化チタン触媒がコーティングされている。さらに、反応容器内には、前記二酸化チタン触媒を活性化させるために少なくとも一つの光源が設けられている。振動発生手段は、反応部に設けられ、細菌や有機化合物分子等が前記反応部を通過する際に、これらを励起し、前記触媒活性点に接触して、反応速度を促進させる。【選択図】  図１
2004305627.tif 000002
【特許請求の範囲】
【請求項１】
気体流通路内に設けられた気体と二酸化チタン触媒とが接触する反応部と、
前記反応部内で気体流通路に沿って設けられた複数の反応管と、
前記反応管にコーティングされた二酸化チタン触媒と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項２】
気体流通路内に設けられた気体と二酸化チタン触媒とが接触する反応部と、
前記反応部内で気体流通路に沿って設けられたハニカム構造の反応管と、
前記反応管の内面にコーティングされた二酸化チタン触媒と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項３】
気体流通路内に設けられた気体と二酸化チタン触媒とが接触する反応部と、
前記反応部内で気体流通路に沿って設けられた二酸化チタン触媒を担持させた多孔質担持体の充填層と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項４】
気体流通路内に設けられた気体と二酸化チタン触媒とが接触する反応部と、
前記反応部内で気体流通路に沿って設けられた二酸化チタン触媒を担持させた複数の触媒層と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項５】
気体流通路内に設けられ、気体と二酸化チタン触媒とが接触するように、二酸化チタン触媒を担持させた触媒粒子が充填された充填搭と、
前記二酸化チタン触媒を活性化させるために前記充填搭内に設けられた光源と、
前記充填搭を通過する気体に振動を与える少なくとも一つの振動発生手段と、
を少なくとも備えていることを特徴とする二酸化チタン触媒による反応装置。
【請求項６】
エアコンディショナー、冷暖房器具、または空気清浄機の気体噴き出し口に設けられた気体と二酸化チタン触媒とが接触する反応部と、
前記反応部内で前記気体流通路に沿って設けられた複数の反応管と、
前記反応管にコーティングされた二酸化チタン触媒と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項７】
エアコンディショナー、冷暖房器具、または空気清浄機の気体噴き出し口に設けられた気体と二酸化チタン触媒とが接触する反応部と、
前記反応部内に設けられたハニカム構造の反応管と、
前記反応管の内面にコーティングされた二酸化チタン触媒と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項８】
エアコンディショナー、冷暖房器具、または空気清浄機の気体噴き出し口に設けられた気体と二酸化チタン触媒とが接触する反応部と、
前記反応部内に設けられた二酸化チタン触媒を担持させた多孔質担持体の充填層と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項９】
エアコンディショナー、冷暖房器具、または空気清浄機の気体噴き出し口に設けられた気体と二酸化チタン触媒とが接触する反応部と、
前記反応部内に設けられた二酸化チタン触媒を担持させた複数の触媒層と、
前記二酸化チタン触媒を活性化させるために前記反応部内に設けられた光源と、
前記反応部を通過する気体に振動を与える少なくとも一つの振動発生手段と、
を少なくとも備えていることを特徴とする二酸化チタン触媒による反応装置。
【請求項１０】
前記反応部および充填搭に設けられた振動発生手段は、脈動発生手段、マイクロ波発生手段、超音波発生手段の中の少なくとも一つであることを特徴とする請求項１ないし請求項９のいずれか１項に記載された二酸化チタン触媒による反応装置。
【発明の詳細な説明】
【０００１】
【発明の属する技術分野】
本発明は、空気中に存在する細菌や有機物を除去するために、光酸化触媒作用を用いた二酸化チタン触媒による反応装置に関するものである。光酸化触媒は、フジシマ・ホンダ効果で知られた二酸化チタン触媒が日本の優れた技術の一つになっている。
【０００２】
前記効果は、気体中を浮遊する細菌あるいは有機物が二酸化チタンの触媒活性点と接触することにより達成される。本発明は、細菌あるいは有機化合物分子の励起を脈動、マイクロ波、あるいは超音波等により行い、触媒酸化反応の速度を迅速化し、触媒活性点との接触効果を向上させる二酸化チタン触媒による反応装置に関するものである。
【０００３】
本発明は、特に、病院、高齢者を収容する施設において、感染症の原因であるメシチリン耐性黄色ブドウ状球菌（ＭＲＡＳ）やその他の細菌等が蔓延するのを防止する空調用循環ダクトに装着する二酸化チタン触媒による反応装置に関するものである。
【０００４】
本発明は、建物の内装材として使用される新建材によるシックハウス症候群の基となるホルムアルデヒド等の有機物を除去する二酸化チタン触媒による反応装置に関するものである。また、本発明は、エアコンディショナー、冷暖房器具、または空気清浄機等の気体噴き出し口に設けることができる二酸化チタン触媒による反応装置に関するものである。
【０００５】
【従来の技術】
高齢化の進展に伴い抵抗力の低い高齢者や病弱者は、病院や高齢者施設において、感染症に基づく肺疾患による死亡事故が急増している。前記死亡事故の多くは、空調施設により、施設内を循環するメシチリン耐性黄色ブドウ状球菌（ＭＲＡＳ）やその他の細菌等が原因となっている。
【０００６】
病院や施設において、塵、埃、汚れは、前記床の隙間や傷等、棚、手摺り、階段、その他の建物の一部に付着する。患者の持つ菌は、前記塵、埃、汚れと共に前記隙間や傷等および建物の一部等に付着して培養され、空調施設により、院内にばら蒔かれている。また、前記ばら蒔かれた菌は、床の隙間や傷等に残された水によって、前記塵、埃、汚れと共に培養されるといった悪循環を繰り返す。
【０００７】
建物の内装材である新建材は、接着剤として使用されるホルムアルデヒド等の有機化合物分子が部屋内に発生する。エアコンディショナー等は、室内の汚染された空気中の微粒子をフィルターで除去するのみであり、フィルターで捕捉できない前記ホルムアルデヒド、細菌、あるいは臭い等の有機化合物分子を攪拌するのみで、これらを分解除去することにはならない。
【０００８】
たとえば、特開２００１−２５９４３５の光触媒担持体は、細孔性気孔に富み、かつ高い膜強度を有する高活性の光反応性半導体を定着したものである。前記光反応性半導体は、金属アルコキシドを含有し、アルミナ、アルミナシリカ、炭化珪素等のセラミック質の多孔性基材に塗工し乾燥、凝固させた膜を、２５０℃から６００℃の高温で焼成して得られる。
【０００９】
【特許文献１】
特開２００１−２５９４３５
【００１０】
【発明が解決しようとする課題】
前記細菌や有機物を除去するには、細菌や有機化合物分子と光照射下に二酸化チタン触媒との接触により容易に分解除去されるフジシマ・ホンダ効果が使用されていた。二酸化チタン触媒は、紫外光が当てられると、二酸化チタンの表面で強い酸化・還元反応が起き、その表面に接している物質を分解する。そして、前記有機化合物分子等は、炭酸ガスと水に分解される。
【００１１】
すなわち、光触媒は、紫外光を当てるだけで、細菌やウイルス、悪臭物質、ダイオキシン、トリクロロエチレン等の環境汚染物質やシックハウス症候群を引き起こす環境ホルモン等を分解する。しかし、光照射下に二酸化チタン触媒との接触による前記細菌や有機化合物分子等の除去は、前記触媒と細菌や有機化合物分子等との接触確率が低いという課題があった。
【００１２】
触媒は、触媒活性点に反応分子が接触することにより、反応速度を促進させるために使用される。前記反応速度を確実に促進させるためには、触媒活性点を多数配置して、触媒の確率を増加させることが必要である。また、前記反応分子が触媒活性点に容易に接触するためには、触媒活性点近傍の気体の境界層を通過する必要がある。前記境界層の厚みは、前記触媒活性点近傍の気体流の速度が大きい程薄くなる。さらに、境界層の乱れは、前記触媒活性点近傍の気体本体の主流の影響をうけて、前記気体本体の主流の乱れが多ければ、前記境界層の乱れも多くなる。
【００１３】
以上の課題を解決するために、本発明は、光酸化型二酸化チタン触媒を使用し、触媒活性点近傍の気体の流動の活性化を促進し、これにより、接触確率を増加せしめると同時に、前記触媒活性点近傍の気体境界層の拡散速度を増大させ、これに比例して反応速度を増大させることができる二酸化チタン触媒による反応装置を提供することを目的とする。
【００１４】
【課題を解決するための手段】
（第１発明）
第１発明の二酸化チタン触媒による反応装置は、気体流通路内に設けられた気体と二酸化チタン触媒とが接触する反応部と、前記反応部内で気体流通路に沿って設けられた複数の反応管と、前記反応管にコーティングされた二酸化チタン触媒と、前記二酸化チタン触媒を活性化させるために前記反応部内に設けられた光源と、前記反応部を通過する気体に振動を与える少なくとも一つの振動発生手段と、を少なくとも備えていることを特徴とする。
【００１５】
（第２発明）
第２発明の二酸化チタン触媒による反応装置は、気体流通路内に設けられた気体と二酸化チタン触媒とが接触する反応部と、前記反応部内で気体流通路に沿って設けられたハニカム構造の反応管と、前記反応管の内面にコーティングされた二酸化チタン触媒と、前記二酸化チタン触媒を活性化させるために前記反応部内に設けられた光源と、前記反応部を通過する気体に振動を与える少なくとも一つの振動発生手段と、を少なくとも備えていることを特徴とする。
【００１６】
（第３発明）
第３発明の二酸化チタン触媒による反応装置は、気体流通路内に設けられた気体と二酸化チタン触媒とが接触する反応部と、前記反応部内で気体流通路に沿って設けられた二酸化チタン触媒を担持させた多孔質担持体の充填層と、前記二酸化チタン触媒を活性化させるために前記反応部内に設けられた光源と、前記反応部を通過する気体に振動を与える少なくとも一つの振動発生手段と、を少なくとも備えていることを特徴とする。
【００１７】
（第４発明）
第４発明の二酸化チタン触媒による反応装置は、気体流通路内に設けられた気体と二酸化チタン触媒とが接触する反応部と、前記反応部内で気体流通路に沿って設けられた二酸化チタン触媒を担持させた複数の触媒層と、前記二酸化チタン触媒を活性化させるために前記反応部内に設けられた光源と、前記反応部を通過する気体に振動を与える少なくとも一つの振動発生手段と、を少なくとも備えていることを特徴とする。
【００１８】
（第５発明）
第５発明の二酸化チタン触媒による反応装置は、気体流通路内に設けられ、気体と二酸化チタン触媒とが接触するように、二酸化チタン触媒を担持させた触媒粒子が充填された充填搭と、前記二酸化チタン触媒を活性化させるために前記充填搭内に設けられた光源と、前記充填搭を通過する気体に振動を与える少なくとも一つの振動発生手段と、を少なくとも備えていることを特徴とする。
【００１９】
（第６発明）
第６発明の二酸化チタン触媒による反応装置は、エアコンディショナー、冷暖房器具、または空気清浄機の気体噴き出し口に設けられた気体と二酸化チタン触媒とが接触する反応部と、前記反応部内で前記気体流通路に沿って設けられた複数の反応管と、前記反応管にコーティングされた二酸化チタン触媒と、前記二酸化チタン触媒を活性化させるために前記反応部内に設けられた光源と、前記反応部を通過する気体に振動を与える少なくとも一つの振動発生手段と、を少なくとも備えていることを特徴とする。
【００２０】
（第７発明）
第７発明の二酸化チタン触媒による反応装置は、エアコンディショナー、冷暖房器具、または空気清浄機の気体噴き出し口に設けられた気体と二酸化チタン触媒とが接触する反応部と、前記反応部内に設けられたハニカム構造の反応管と、前記反応管の内面にコーティングされた二酸化チタン触媒と、前記二酸化チタン触媒を活性化させるために前記反応部内に設けられた光源と、前記反応部を通過する気体に振動を与える少なくとも一つの振動発生手段と、を少なくとも備えていることを特徴とする。
【００２１】
（第８発明）
第８発明の二酸化チタン触媒による反応装置は、エアコンディショナー、冷暖房器具、または空気清浄機の気体噴き出し口に設けられた気体と二酸化チタン触媒とが接触する反応部と、前記反応部内に設けられた二酸化チタン触媒を担持させた多孔質担持体の充填層と、前記二酸化チタン触媒を活性化させるために前記反応部内に設けられた光源と、前記反応部を通過する気体に振動を与える少なくとも一つの振動発生手段と、を少なくとも備えていることを特徴とする。
【００２２】
（第９発明）
第９発明の二酸化チタン触媒による反応装置は、エアコンディショナー、冷暖房器具、または空気清浄機の気体噴き出し口に設けられた気体と二酸化チタン触媒とが接触する反応部と、前記反応部内に設けられた二酸化チタン触媒を担持させた複数の触媒層と、前記二酸化チタン触媒を活性化させるために前記反応部内に設けられた光源と、前記反応部を通過する気体に振動を与える少なくとも一つの振動発生手段と、を少なくとも備えていることを特徴とする。
【００２３】
（第１０発明）
第１０発明の二酸化チタン触媒による反応装置において、前記反応部および充填搭に設けられた振動発生手段は、脈動発生手段、マイクロ波発生手段、超音波発生手段の中の少なくとも一つであることを特徴とする。
【００２４】
【発明の実施の形態】
（第１発明）
第１発明の二酸化チタン触媒による反応装置は、気体と二酸化チタン触媒とが接触する反応部が気体流通路内に設けられている。前記反応部内には、複数の反応管が気体流通路に沿って設けられている。また、前記反応管の内面および／または外面には、二酸化チタン触媒がコーティングされている。
【００２５】
さらに、反応容器内には、前記二酸化チタン触媒を活性化させるために少なくとも一つの光源が設けられている。前記光源は、紫外光を含んだ普通光、紫外光を発生する光源等がある。振動発生手段は、細菌や有機化合物分子等が前記反応部を通過する際に、これらを励起し、前記触媒活性点に接触して、反応速度を促進させる。前記振動発生手段は、たとえば、周波数が３００ＭＨｚないし３０ＧＨｚで、波長が１ｃｍないし１ｍ程度の電磁波を発生する。前記振動発生手段は、脈動発生手段および超音波発生手段と併用することができる。
【００２６】
（第２発明）
第２発明は、反応管がハニカム構造となっている点で異なっている。前記ハニカム構造の反応管の内側には、二酸化チタン触媒がコーティングされている。前記反応管のハニカム構造は、細菌や有機化合物分子等が触媒活性点に接触し易くなっている。
【００２７】
（第３発明）
第３発明は、前記反応部内において、二酸化チタン触媒を担持させた多孔質担持体の充填層が気体流通路に沿って設けられている点で、第１発明および第２発明と異なっている。前記多孔質担持体は、たとえば、軽石、珪藻土等、あるいは多孔質の合成樹脂等がある。前記二酸化チタン触媒は、前記多孔質担持体にバインダー等によって接着される。前記多孔質担持体は、触媒活性点に容易に接触することができる。
【００２８】
（第４発明）
第４発明は、二酸化チタン触媒を担持させた複数の触媒層が前記反応部内で気体流通路に沿って設けられている点で、第１発明ないし第３発明と異なっている。前記触媒層を複数にした理由は、光源からの紫外光を前記二酸化チタン触媒に照射され易くしている。前記光源の数は、触媒層の数によって増加することが望ましい。
【００２９】
（第５発明）
第５発明は、気体流通路となる充填塔に、二酸化チタン触媒を担持させた触媒粒子が充填されている点で、前記第１発明ないし第４発明と異なる。前記触媒粒子は、前記触媒粒子の間を空気が通過できる程度の大きさのものであり、その周囲に前記二酸化チタン触媒がコーティングされている。
【００３０】
また、充填塔は、触媒粒子の層を多層にするとともに、光源の数も必要に応じて、増加することが望ましい。第５発明は、気体流通路を充填塔とすることで、気体と二酸化チタン触媒とが触媒活性点において多く接触することができる。
【００３１】
（第６発明ないし第９発明）
第６発明は、気体と二酸化チタン触媒とが接触する反応部がエアコンディショナー、冷暖房器具、または空気清浄機の気体噴き出し口に設けられている点で第１発明ないし第４発明と異なっている。また、第６発明は第１発明と、第７発明は第２発明と、第８発明は第３発明と、第９発明は第４発明と、反応装置の構成がそれぞれ対応している。
【００３２】
第６発明ないし第９発明は、第１発明ないし第４発明の反応装置をコンパクトにするとともに、エアコンディショナー、冷暖房器具、または空気清浄機の気体噴き出し口に対する取り付け装置を設けることにより、容易に達成することができる。
【００３３】
（第１０発明）
第１０発明において、振動発生手段は、反応部または充填搭に設けられている。前記振動発生手段は、ピストンとシリンダーからなるピストン型、ベローズ型、あるいは膜で脈動を与える膜型等からなる脈動発生手段がある。また、前記振動発生手段は、マイクロ波等の電磁波、あるいは超音波によるものでも良い。さらに、前記振動発生手段は、脈動発生手段、マイクロ波発生手段、超音波発生手段の中の少なくとも一つである。
【００３４】
第１０発明は、反応部を通過する気体流中の細菌あるいは有機化合物分子が二酸化チタン触媒の触媒活性点への接触を促進させることができる。
【００３５】
【実施例】
図１は本発明の第一実施例で、二酸化チタン触媒による反応装置を説明するための概略誇張模式図である。図１において、反応装置は、二酸化チタン触媒と空気中の細菌あるいは有機化合物分子等とが接触する反応部１１と、前記反応部１１に空気の流通経路に沿って設けられた多数の管１１１と、前記反応部１１に空気を流入・流出するためのダクト１２およびダクト１３と、触媒に光を照射して活性化する光源１１３、１１４と、前記流入された空気に脈動を与える脈動発生手段１１５とから構成されている。
【００３６】
前記管１１１は、その内面および／または外面に光触媒である二酸化チタン触媒１１２がコーティングされている。空気に脈動を与える脈動発生手段１１５は、シリンダーとピストンからなるもの、ベローズ型、膜によるもの等既成のポンプ等を使用することができる。
【００３７】
細菌や有機化合物分子等を含んだ空気は、ダクト１２から流入し、多数の管１１１の内部および／または外部を通過して、ダクト１３から外部に流出する。前記多数の管１１１の内部および／または外部表面にコーティングされている二酸化チタン触媒１１２は、光源１１３、１１４の紫外光によって活性化される。なお、前記光源１１３、１１４は、必要に応じて、上方または下方の一方に設けることができる。
【００３８】
また、前記細菌や有機化合物分子等を含んだ空気は、前記脈動発生手段１１５によって、前記二酸化チタン触媒１１２の触媒活性点への接触が反応速度を促進させる。前記細菌や有機化合物分子等は、前記二酸化チタン触媒１１２によって、酸化されて炭酸ガスや水等に分解される。すなわち、前記細菌や有機化合物分子等は、前記反応部１１を通過することで、除去される。
【００３９】
図２は本発明の第二実施例で、二酸化チタン触媒による他の反応装置を説明するための概略誇張模式図である。図２において、図１に示された第一実施例と異なるところは、多数の管１１１の代わりに二酸化チタン触媒１１２がコーティングされている多孔質部材２１の層から構成されている点と、水晶振動子、超音波振動子、あるいはマイクロ波のアンテナ（ホーン）等からなる振動部２４と、当該振動部２４を励起する励起回路２５を備えている点にある。
【００４０】
前記多孔質部材２１は、たとえば、軽石や珪藻土のような多孔質のものであり、その全面に二酸化チタン触媒１１２がコーティングされている。前記二酸化チタン触媒１１２は、たとえば、網状部材２２内に収容されているか、または目皿２３の上に層状に設けられている。また、前記二酸化チタン触媒１１２は、触媒粒子を層状にして、光源と共に多段にすることもできる。
【００４１】
空気は、ダクト１２から二酸化チタン触媒１１２を通り、ダクト１３から流出される。前記二酸化チタン触媒１１２は、光源１１３によって活性化され、触媒活性点を多数配置して、空気との接触確率を増加している。さらに、空気は、振動部２４からの振動が重畳され、二酸化チタン触媒１１２近傍の境界層を通過する際に、触媒活性点に接触した際の反応速度が促進される。
【００４２】
前記振動手段として、マイクロ波を使用した場合、マイクロ波は、３００ＭＨｚないし３０ＧＨｚが望ましい。しかし、たとえば、電子レンジに使用されている２４５０ＭＨｚを発生するマグネトロンを採用すると、既製品が利用でき、安価なものを作製することができる。また、その他の振動手段は、発振回路に接続された水晶振動子、あるいは超音波振動子等がある。これらの振動を空気に重畳することにより、触媒活性点に空気が接触した際の反応速度が促進される。
【００４３】
図３は本発明の第三実施例で、二酸化チタン触媒による多層の反応装置を説明するための概略誇張模式図である。図３において、第三実施例は、光源３４、３５、３６と、二酸化チタン触媒３２、３３が多層に構成されると共に、反応部が反応塔３１として構成されている。
【００４４】
前記二酸化チタン触媒３２は、網状部材３１２のようなもので、フィルタとすることもできる。前記二酸化チタン触媒３３も同様に作製される。前記二酸化チタン触媒３２、３３、および光源３４ないし３６の数と反応塔３１の大きさは、空気の流通量に応じて、任意に設計することができる。また、図３に示す反応塔３１は、ポンプ（振動発生手段）１１５による脈動が重畳されているが、超音波振動および／またはマイクロ波等の振動を任意に重畳させることができる。
【００４５】
図４（イ）および（ロ）は本発明の第四実施例で、二酸化チタン触媒による多層の反応装置を説明するための概略誇張模式図である。図４において、第四実施例は、エアコンディショナー、冷暖房器具、または空気清浄機４１（以下、単に空気清浄機等と記載する）の気体噴き出し口４１２に、第一実施例ないし第三実施例の反応装置４２を設けることができる。二酸化チタン触媒４２４は、網状担持体４２３等によって、層状に担持されている。
【００４６】
光源４２２は、空気清浄機４１等の空気噴き出し口４１２の近傍に、たとえば、反射板４２１等と共に設けられる。ファン４１１によって吸い込まれた空気は、空気清浄機４１等の空気噴き出し口４１２から二酸化チタン触媒４２４を通過することで、第一実施例ないし第三実施例で説明したように、細菌や有機化合物分子等を除去することができる。
【００４７】
前記第四実施例は、空気清浄機４１等と反応装置４２との取り付けは、任意の固着手段を用いることができるため、省略してある。また、第一実施例ないし第三実施例に使用した脈動発生手段および／または振動発生手段は、省略されている。第四実施例は、前記脈動発生手段および／または振動発生手段の小型のものを取り付けることにより、細菌や有機化合物分子の除去を促進させることができる。
【００４８】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、反応部、触媒、脈動発生手段、マイクロ波発生手段、超音波発生手段、光源の取付および大きさは、任意に設計変更が可能である。
【００４９】
前記光源は、紫外光を含む通常のランプ、紫外線発生用ランプ、発光ダイオード等公知または周知のものを使用できる。前記脈動発生手段、マイクロ波発生手段、超音波発生手段は、同様に、公知または周知のものを使用することができる。
【００５０】
【発明の効果】
本発明によれば、光触媒として二酸化チタン触媒を使用するとともに、脈動発生手段、マイクロ波発生手段、超音波発生手段の中の少なくとも一つを重畳することによって、二酸化チタン触媒の触媒活性点に細菌や有機化合物分子の接触確率を向上させることができた。
【００５１】
本発明によれば、光触媒として二酸化チタン触媒を使用するとともに、脈動発生手段、マイクロ波発生手段、超音波発生手段の中の少なくとも一つを重畳することによって、二酸化チタン触媒の触媒活性点近傍の気体の境界層の拡散速度を増大させることにより、反応速度を向上させることができた。
【００５２】
本発明によれば、光触媒として二酸化チタン触媒を使用するとともに、脈動発生手段、マイクロ波発生手段、超音波発生手段の中の少なくとも一つを重畳した反応装置を、病院・高齢者施設等に設置することで、院内感染症の防止・低減に大きく寄与することができた。
【００５３】
本発明によれば、光触媒として二酸化チタン触媒を使用するとともに、脈動発生手段、マイクロ波発生手段、超音波発生手段の中の少なくとも一つを重畳することによって、臭いや新建材から発生するホルムアルデヒトを除去することができるようになった。
【図面の簡単な説明】
【図１】本発明の第一実施例で、二酸化チタン触媒による反応装置を説明するための概略誇張模式図である。
【図２】本発明の第二実施例で、二酸化チタン触媒による他の反応装置を説明するための概略誇張模式図である。
【図３】本発明の第三実施例で、二酸化チタン触媒による多層の反応装置を説明するための概略誇張模式図である。
【図４】（イ）および（ロ）は本発明の第四実施例で、二酸化チタン触媒による多層の反応装置を説明するための概略誇張模式図である。
【符号の説明】
１１・・・反応部
１１１・・・管
１１２・・・二酸化チタン触媒
１１３、１１４・・・光源
１１５・・・振動発生手段（脈動発生手段）
１２、１３・・・ダクト
２１・・・多孔質部材
２２・・・網状部材
２３・・・目皿
２４・・・振動部
２５・・・励起回路
３１・・・反応塔
３１１、３１２、３１３、３１４・・・網状部材
３２、３３・・・二酸化チタン触媒
３４、３５、３６・・・光源
４１・・・空気清浄機（エアコンディショナー、冷暖房機等）
４１１・・・ファン
４１２・・・空気噴き出し口
４２・・・反応装置
４２１・・・反射板
４２２・・・光源
４２３・・・網状担持体
４２４・・・二酸化チタン触媒
４２５・・・開孔
【図１】
2004305627.tif 000003
【図２】
2004305627.tif 000004
【図３】
2004305627.tif 000005
【図４】
2004305627.tif 000006